(57)【要約】      （修正有）【課題】軽量であって搬送時や施工現場における取扱が容易であると共に、容易に廃棄処理を行うことができる内装材を提供する。【解決手段】紙、澱粉及びポリプロピレンを含む発泡材からなり、不燃処理が施された断熱性芯材１１と、断熱性芯材の一方側面に固定された不燃性を有する化粧板１２とを備えた。【選択図】図１
0003192409.tif 000002
【実用新案登録請求の範囲】
【請求項１】
紙、澱粉及びポリプロピレンを含む発泡材により形成され、不燃処理が施された断熱性芯材と、上記断熱性芯材の一方側面に固定された不燃性を有する化粧板とを備えたことを特徴とする内装材。
【請求項２】
上記断熱性芯材は、紙及び澱粉を５０重量％含むことを特徴とする請求項１記載の内装材。
【請求項３】
上記断熱性芯材は、表面に不燃材によるコーティング処理が施されていることを特徴とする請求項２記載の内装材。
【請求項４】
上記断熱性芯材の他方側面には不燃性の補強材が固定されていることを特徴とする請求項１記載の内装材。
【請求項５】
上記補強材はアルミ製であることを特徴とする請求項４記載の内装材。
【考案の詳細な説明】
【技術分野】
【０００１】
本考案は、内装材の改良に関する。
【背景技術】
【０００２】
一般に、住宅等の建築物の壁材としては石膏ボードが広く使用されてきている。このような石膏ボードは、石膏を主成分とした素材を板状にして、特殊な板紙で包装して構成されている。その結果、安価であると共に非常に剛性が高く、耐火性、断熱性、遮音性に富んでいる。
【０００３】
しかしながら、このような従来の石膏ボードは、所定の重量があることから、壁材として構成した場合には全体の重量が大きくなり、搬送時又は施工現場において取り扱いが不便である、という不具合が存していた。
【０００４】
そこで、従来より、例えば、特許文献１に開示されている内装材が提案されていた。このような内装材は、炭酸カルシウム、水酸化アルミニウム等の無機質粉を主原料としてバインダー効果のある有機質を混入して高倍率で発泡形成してなる発泡板と、発泡版の両側面に固定した金属製の外板とにより構成されている。
【０００５】
しかしながら、このような従来の内装材にあっては、炭酸カルシウム、水酸化アルミニウム等の無機質粉を主原料とすると共に、バインダー効果のある有機質を含むことから、有害化学物質、ＶＯＣ勧告物質、ＥＵ指令禁止物質、環境ホルモン物質等を含む場合が多く、ＣＯ２の排出量が多い場合もあり、廃棄する際には一般の廃棄物と同様の通常の廃棄処理ができず、廃棄作業が煩雑であり、廃棄する場合の負担が大きい、という不具合があった。
【特許文献１】実用新案登録第３１２６１９７号公報
【考案の開示】
【考案が解決しようとする課題】
【０００６】
本考案はこのような従来からの不具合を解決するためのものであって、その課題は、軽量であって搬送時や施工現場における取扱が容易であると共に、容易に廃棄処理を行うことができる内装材を提供することにある。
【課題を解決するための手段】
【０００７】
上記課題達成のため、請求項１記載の考案にあっては、紙、澱粉及びポリプロピレンを含む発泡材からなり、不燃処理が施された断熱性芯材と、上記断熱性芯材の一方側面に固定された不燃性を有する化粧板とを備えたことを特徴とする。
従って、本考案に係る内装材が住宅等の建築物の内装材として使用された場合には、不燃性を有する内装材を構成することができる。
【０００８】
請求項２記載の考案にあっては、上記断熱性芯材は、紙及び澱粉を５０重量％含むことを特徴とする。上記「紙」は、例えば、産業用の古紙であり、「澱粉」は、例えば、業用澱粉を使用する。
【０００９】
請求項３記載の考案にあっては、上記断熱性芯材は、表面に不燃材によるコーティング処理が施されていることを特徴とする。上記「不燃材」とは、例えば、グラファイト系不燃材が相当する。
【００１０】
請求項４記載の考案にあっては、上記断熱性芯材の他方側面には不燃性の補強材が固定されていることを特徴とする。
請求項５記載の考案にあっては、上記補強材はアルミ製であることを特徴とする。
【考案の効果】
【００１１】
請求項１〜５記載の考案に係る内装材は不燃性を有するが、従来のような石膏ボードとは異なり、軽量であって搬送時や施工現場における取扱が容易である。
また、請求項１記載の考案にあっては、有害化学物質、ＶＯＣ勧告物質、ＥＵ指令禁止物質、環境ホルモン物質等を含まないことから、ＣＯ２排出量が少なく、廃棄する際には一般の廃棄物と同様の通常の廃棄処理が可能であることから廃棄処理が容易に行うことができる内装材を提供することができる。
【００１２】
請求項３記載の考案にあっては、上記断熱性芯材には不燃材によるコーティング処理が施されていることから、不燃特性を発揮することかできる。
【００１３】
特に、請求項４及び５記載の考案にあっては、断熱性芯材の他方側面にはアルミ製の補強版が固定されていることから、内装材全体の重量の増加を低減させた状態で剛性を高めることができる。また、上記断熱性芯材の一方側面に固定されている化粧板が経年変化、又は気温、湿度、地震等の環境要素により撓みや反りが生ずるような事態があっても他方側面にアルミ製の補強板が固定されていることから、内装材全体の変形を防止すること可能となる。
【図面の簡単な説明】
【００１４】
【図１】本考案に係る内装材の一実施の形態を示す斜視図である。
【図２】本考案に係る内装材の一実施の形態を示す、図１の分解斜視図である。
【考案を実施するための最良の形態】
【００１５】
以下、添付図面に示す実施の形態に基づき、本考案を詳細に説明する。
図１に示すように、本実施の形態に係る内装材１０は、住宅、ビル等の室内に設けられる壁材、天井材又はパーティション材として構成されている。
【００１６】
本実施の形態に係る内装材１０は、断熱性芯材１１と、上記断熱性芯材１１の一方側面に固定された不燃性を有する化粧板１２と、上記断熱性芯材の他方側面に固定された不燃性を有するアルミ製の補強板１３とにより構成されている。上記断熱性芯材１１と化粧板１２及び補強板１３とはアクリル系接着剤により相互にアクリル系の接着剤により接着固定されている。
【００１７】
上記断熱性芯材１１は、本実施の形態にあっては板状に形成され、紙及び澱粉を全体の５０重量％含む発泡材により形成され、表面には不燃性を有するグラファイトによるコーティング処理が施されている。
本実施の形態に係る断熱性芯材１１は、紙、澱粉及びポリプロピレンを４０倍発泡させたものであり、内部に気泡部を多数包含することから全体の重量が軽い。
【００１８】
このように構成された内装材１０にあっては、断熱適性の試験結果において、０．０３６ＭＰａの断熱係数を示すことから、従来の石膏ボードを上回る断熱性を得ることができる。
【００１９】
従って、本実施の形態に係る内装材１０により構成された壁材等は、本件出願人のデータにおいては、従来の石膏ボードにより形成された壁材等の約半分の重量となることが判明しており、搬送作業、現場における施工作業等を容易に行うことができると共に、搬送作業に要する搬送コストを低減することができる。
【００２０】
建築現場において本実施の形態に係る内装材１０は、例えば、壁材、天井材として広く使用することができる。また、室内の床面上に適宜設置されるパーティションとして使用することもでき、様々な用途に使用が可能である。建築現場においても、本実施の形態に係る内装材１０は軽量であることから、建築現場における施工作業を容易、安全かつ迅速に行うことができ、建築現場作業を効率的に行うことが可能となる。
【００２１】
また、本実施の形態に係る内装材１０にあっては、断熱性芯材１１の一方側面には化粧板１１が固定されていることから、外観品質に優れており、商品としての付加価値を高めることができる。さらに、化粧板１１には表面に不燃処理が施されていることから、耐火性能をも有することから、内装材１０全体としても耐火性を保持しつつ外観品質を高めることができ、総体的に高い商品価値を確保することができる。
【００２２】
さらに、本実施の形態に係る内装材１０にあっては、断熱性芯材１１の他方側面にはアルミ製の補強板１３が固定されていることから、施工後において、気温、湿度、地震での揺れ等の環境要素により、化粧板１２が撓んだり、反ったりしたような場合であっても、剛性を有するアルミ板１３が反対側面全体に固定されていることから、化粧板１２の撓みや反りの影響が内装材１０全体に及ぶことを阻止できる。
【００２３】
その結果、壁材、天井材又はパーティションとして使用された場合であっても、環境要素又は経年時における壁材、天井材又はパーティションとして形状の変化が起きることがなく、商品価値を保持することができる。
【００２４】
本実施の形態に係る内装材１０を構成する断熱性芯材１１は、紙、澱粉及びポリプロピレンにより形成されていることから、有害化学物質、ＶＯＣ勧告物質、ＥＵ指令（ＲｏＨＳ指令）禁止物質、環境ホルモン様物質を全く含んでいないことから、ＬＣＡ（ライフサイクルアセスメント）評価において、ＣＯ２排出量の点で圧倒的な優位性を保持することができる。
【００２５】
従って、廃棄の際、従来の石膏ボードの場合には地中に埋設することにより廃棄していたが、本実施の形態に係る内装材１０にあっては、補強板１３及び化粧板１２を断熱性芯材１１から取り外すことにより断熱性芯材１１を通常の可燃ゴミと同様の手法で廃棄することができることから、従来に比して廃棄作業を簡易に行うことが可能となる。
【００２６】
本実施の形態にあっては、上記断熱性芯材１１の他方側面にアルミ製の補強板１３が固定されている場合を例に説明したが、本実施の形態に限定されず、補強板が固定されていなくてもよい。
また、補強板を固定する場合であっても、アルミ製である必要はなく、不燃性であって所定の剛性を有する素材からなる板であればよい。
【産業上の利用可能性】
【００２７】
本考案は内装材に係るものであることから、広く、産業上の利用可能性を有している。
【符号の説明】
【００２８】
１０  内装材  
１１  断熱性芯材
１２  化粧板
１３  補強板
【図１】
0003192409.tif 000003
【図２】
0003192409.tif 000004